(57)【要約】【課題】ソーラーパネル下の隙間の風通しを確保しつつ隙間への鳥類の侵入を防止できるソーラーパネル設置屋根用鳥類侵入防止具を提供すること。【解決手段】屋根１とソーラーパネル２の外枠部３の間の隙間４に配設される囲い部材Ａと、囲い部材Ａを外枠部３に取付けるための取付部材Ｂとを備え、囲い部材Ａは、外枠部３に沿った長さを有する長尺状本体５に、下端が屋根１上面と近接若しくは当接する防鳥ピン６が、長尺状本体５の長さ方向に小間隔を置いて多数並設状態に設けられて成り、取付部材Ｂは、外枠部３の下面に沿設可能な板状基体７の上部に、外枠部３に板状基体７を取付け可能なパネル取付部８が設けられていると共に、板状基体７の下部に、囲い部材Ａの長尺状本体５を取付可能な囲い取付部９が設けられて成る。【選択図】図１
2020124162.tif 000002
【特許請求の範囲】
【請求項１】
屋根上に設置されているソーラーパネルの外枠部に取付けられることによって、屋根上面とソーラーパネル下面の間の隙間に鳥類が侵入することを防止するソーラーパネル設置屋根用鳥類侵入防止具であって、屋根上面とソーラーパネルの外枠部の下面の間の前記隙間に配設される囲い部材と、この囲い部材をソーラーパネルの外枠部に沿設状態で取付けるための取付部材とを備え、前記囲い部材は、ソーラーパネルの外枠部に沿った長さを有する長尺状本体に、下端が屋根上面と近接若しくは当接する垂下長を有する防鳥ピンが垂設されていると共に、この防鳥ピンが、長尺状本体の長さ方向に小間隔を置いて多数並設状態に垂設されており、前記取付部材は、ソーラーパネルの外枠部の下面に沿設可能な板状基体の上部に、前記外枠部に板状基体を沿設取付け可能なパネル取付部が設けられていると共に、板状基体の下部に、前記囲い部材の長尺状本体を下方から取付可能な囲い取付部が設けられていることを特徴とするソーラーパネル設置屋根用鳥類侵入防止具。
【請求項２】
前記囲い部材の防鳥ピンは、前記長尺状本体の長さ方向に２５ｍｍ以下の間隔を置いて多数並設状態に設けられていることを特徴とする請求項１記載のソーラーパネル設置屋根用鳥類侵入防止具。
【請求項３】
前記囲い部材の防鳥ピンは、切断工具で切断可能な天然樹脂製若しくは合成樹脂製であることを特徴とする請求項１，２のいずれか１項に記載のソーラーパネル設置屋根用鳥類侵入防止具。
【請求項４】
前記取付部材は、前記板状基体の上部に、ソーラーパネルの外枠部の下部に挟着取付け可能なクリップ部が設けられて、このクリップ部が前記パネル取付部として構成され、前記板状基体の下部に、前記囲い部材を圧入取付け可能な圧入部が設けられて、この圧入部が前記囲い取付部として構成されていることを特徴とする請求項１〜３のいずれか１項に記載のソーラーパネル設置屋根用鳥類侵入防止具。
【請求項５】
前記囲い部材は、金属製の前記長尺状本体と、多数の前記防鳥ピンを有する天然樹脂製若しくは合成樹脂製のピン構成部材とから成り、前記長尺状本体に設けられている多数のピン通し孔に、前記ピン構成部材の多数の防鳥ピンが差込み装着されることで、長尺状本体に多数の防鳥ピンが並設状態に垂設されていることを特徴とする請求項１〜４のいずれか１項に記載のソーラーパネル設置屋根用鳥類侵入防止具。
【発明の詳細な説明】
【技術分野】
【０００１】
本発明は、屋根とソーラーパネルの間の隙間に鳥類が侵入して巣作りすることを防止するソーラーパネル設備屋根用鳥類侵入防止具に関するものである。
【背景技術】
【０００２】
家屋等の建物の屋根に設置されるソーラーパネルは、固定金具や支持架台を介して屋根上に設置されるため、その下面と屋根上面との間に隙間が生じており、この隙間に鳥類が侵入して巣作りしてしまうことがある。
【発明の概要】
【発明が解決しようとする課題】
【０００３】
鳥類に巣作りされたソーラーパネル設置屋根は、獣臭がしたり糞で汚れたりして不衛生となったり、卵をねらって蛇などが寄ってきやすくなるなどの弊害がでる。
【０００４】
これを防止するためには、単純にソーラーパネル下の隙間を壁などで塞いでしまえば良いのではないかとも思えるが、ソーラーパネル下の隙間を塞いでしまうと風通しが悪くなり、隙間に熱が籠り易くなって発電効率が落ちてしまうので良策とは言えない。
【０００５】
本発明は、このような問題点に注目し、これを解決しようとするためのもので、ソーラーパネルの外枠部に取付けることにより、ソーラーパネル下の隙間の風通しを確保しつつ隙間への鳥類の侵入を防止できるソーラーパネル設置屋根用鳥類侵入防止具を提供するものである。
【課題を解決するための手段】
【０００６】
添付図面を参照して本発明の要旨を説明する。
【０００７】
屋根１上に設置されているソーラーパネル２の外枠部３に取付けられることによって、屋根１上面とソーラーパネル２下面の間の隙間４に鳥類が侵入することを防止するソーラーパネル設置屋根用鳥類侵入防止具であって、屋根１上面とソーラーパネル２の外枠部３の下面の間の前記隙間４に配設される囲い部材Ａと、この囲い部材Ａをソーラーパネル２の外枠部３に沿設状態で取付けるための取付部材Ｂとを備え、前記囲い部材Ａは、ソーラーパネル２の外枠部３に沿った長さを有する長尺状本体５に、下端が屋根１上面と近接若しくは当接する垂下長を有する防鳥ピン６が垂設されていると共に、この防鳥ピン６が、長尺状本体５の長さ方向に小間隔を置いて多数並設状態に垂設されており、前記取付部材Ｂは、ソーラーパネル２の外枠部３の下面に沿設可能な板状基体７の上部に、前記外枠部３に板状基体７を沿設取付け可能なパネル取付部８が設けられていると共に、板状基体７の下部に、前記囲い部材Ａの長尺状本体５を下方から取付可能な囲い取付部９が設けられていることを特徴とするソーラーパネル設置屋根用鳥類侵入防止具に係るものである。
【０００８】
また、前記囲い部材Ａの防鳥ピン６は、前記長尺状本体５の長さ方向に２５ｍｍ以下の間隔を置いて多数並設状態に設けられていることを特徴とする請求項１記載のソーラーパネル設置屋根用鳥類侵入防止具に係るものである。
【０００９】
また、前記囲い部材Ａの防鳥ピン６は、切断工具で切断可能な天然樹脂製若しくは合成樹脂製であることを特徴とする請求項１，２のいずれか１項に記載のソーラーパネル設置屋根用鳥類侵入防止具に係るものである。
【００１０】
また、前記取付部材Ｂは、前記板状基体７の上部に、ソーラーパネル２の外枠部３の下部に挟着取付け可能なクリップ部８が設けられて、このクリップ部８が前記パネル取付部８として構成され、前記板状基体７の下部に、前記囲い部材Ａを圧入取付け可能な圧入部９が設けられて、この圧入部９が前記囲い取付部９として構成されていることを特徴とする請求項１〜３のいずれか１項に記載のソーラーパネル設置屋根用鳥類侵入防止具に係るものである。
【００１１】
また、前記囲い部材Ａは、金属製の前記長尺状本体５と、多数の前記防鳥ピン６を有する天然樹脂製若しくは合成樹脂製のピン構成部材10とから成り、前記長尺状本体５に設けられている多数のピン通し孔11に、前記ピン構成部材10の多数の防鳥ピン６が差込み装着されることで、長尺状本体５に多数の防鳥ピン６が並設状態に垂設されていることを特徴とする請求項１〜４のいずれか１項に記載のソーラーパネル設置屋根用鳥類侵入防止具に係るものである。
【発明の効果】
【００１２】
本発明は上述のように構成したから、屋根上に設置されているソーラーパネルの外枠部に取付部材を介して囲い部材を取付けでき、囲い部材に垂設されている多数の防鳥ピンで屋根上面とソーラーパネル下面との間の隙間に鳥類が侵入することを防止でき、また、小間隔を置いて並設する防鳥ピン間は通気性が確保されているので前記隙間を風が抜け易く、ソーラーパネルの発電効率の低下も前記隙間の塵溜まりも生じにくいなど、極めて実用性に優れたソーラーパネル設置屋根用鳥類侵入防止具となる。
【００１３】
また、請求項２記載の発明においては、多数の防鳥ピンの並設間隔を２５ｍｍ以下に設定したから、屋根上面とソーラーパネル下面との間の隙間に鳥類が侵入することを確実に防止できる一層実用性に優れた構成のソーラーパネル設置屋根用鳥類侵入防止具となる。
【００１４】
また、請求項３記載の発明においては、前記作用・効果を発揮する防鳥ピンを簡易に設計実現可能となると共に、屋根の形状に応じて防鳥ピンを切断することが可能となるなど、一層実用性に優れた構成のソーラーパネル設置屋根用鳥類侵入防止具となる。
【００１５】
また、請求項４記載の発明においては、ソーラーパネルの外枠部に確実に取付け可能で且つ囲い部材の長尺状本体を確実に取付け可能な取付部材を、簡易構成にして容易に設計実現可能となる一層実用性に優れた構成のソーラーパネル設置屋根用鳥類侵入防止具となる。
【００１６】
また、請求項５記載の発明においては、多数の防鳥ピンを有するピン構成部材を樹脂成型により簡易に設計実現可能となると共に、長尺状本体に多数の防鳥ピンが小間隔を置いて多数並設状態に垂設されている囲い部材を簡易に設計実現可能となり、しかも、長尺状本体が強度のある金属製であるため、ソーラーパネルの外枠部に沿った長さを有するものでありながら外枠部への取付け作業が容易に行われると共に、取付け後も長尺状本体が撓み変形することなく多数の防鳥ピンが確実に鳥類侵入を防止する防護柵として機能することになるなど、一層実用性に優れた構成のソーラーパネル設置屋根用鳥類侵入防止具となる。
【図面の簡単な説明】
【００１７】
【図１】本実施例の使用状態を示す概略説明斜視図である。
【図２】本実施例の囲い部材と取付部材を示す、囲い部材の一部を省略した分解斜視図である。
【図３】本実施例の囲い部材を示す一部を省略した分解斜視図である。
【図４】本実施例の取付部材を、ソーラーパネルの外枠部に対して取付けようとする状態を示す説明斜視図である。
【図５】本実施例の囲い部材を、ソーラーパネルの外枠部に取付けられている取付部材の圧入部に圧入しようとする状態を示す外枠部を切欠いた説明側面図である。
【図６】図５に続いて、囲い部材を取付部材の圧入部に圧入して取付ボルトで固定した状態を示す外枠部を切欠いた説明側面図である。
【図７】図６の斜視図である。
【発明を実施するための形態】
【００１８】
好適と考える本発明の実施形態を、図面に基づいて本発明の作用を示して簡単に説明する。
【００１９】
屋根１上に設置されているソーラーパネル２の外枠部３の下面に、板状基体７を沿設させて上部のパネル取付部８を外枠部３に取付けると、取付部材Ｂが外枠部３に取付けられる。
【００２０】
この外枠部３に取付けられた取付部材Ｂの下部の囲い取付部９に、囲い部材Ａの長尺状本体５を下方から取付けると、取付部材Ｂを介して囲い部材Ａがソーラーパネル２の外枠部３に取付けられて囲い部材Ａが屋根１上面とソーラーパネル２下面との間の隙間４に配設され、長尺状本体５の下部に垂設されている防鳥ピン６の下端が屋根１上面と近接若しくは当接することになる。
【００２１】
即ち、長尺状本体５の長さ方向に小間隔を置いて多数並設状態に設けられている防鳥ピン６が、屋根１上面とソーラーパネル２下面との間の隙間４にソーラーパネル２外部から鳥類が侵入しようとすることを防ぐ防護柵として機能する。
【００２２】
また、小間隔を置いて並設する防鳥ピン６間は通気性が確保されているので、ソーラーパネル２下の隙間４の風通しは良好で、発電効率の低下を生じにくく、隙間４に塵なども溜まりにくい。
【００２３】
尚、予め囲い部材Ａを取付部材Ｂ（の囲い取付部９）に取付けておいてから、取付部材Ｂをソーラーパネル２の外枠部３に取付けるようにしても良い。
【実施例】
【００２４】
本発明の具体的な実施例について図面に基づいて説明する。
【００２５】
本実施例は、屋根１上に設置されているソーラーパネル２の外枠部３に取付けることによって、屋根１上面とソーラーパネル２下面の間の隙間４に鳥類が侵入することを防止するソーラーパネル設置屋根用鳥類侵入防止具に係るものである。尚、図１は、縦葺き屋根１上に固定金具24を介して複数のソーラーパネル２が並設状態に設置されているソーラーパネル設置屋根を示しているが、縦葺き屋根１以外のソーラーパネル設置屋根に対しても、本実施例は使用可能である。
【００２６】
本実施例のソーラーパネル設置屋根用鳥類侵入防止具は、屋根１上面とソーラーパネル２の外枠部３の下面の間の前記隙間４に配設される囲い部材Ａと、この囲い部材Ａをソーラーパネル２の外枠部３に沿設状態で取付けるための取付部材Ｂとを備えている。
【００２７】
具体的には、本実施例の囲い部材Ａは、ソーラーパネル２の外枠部３に沿った長さを有する長尺状本体５に、下端が屋根１上面と近接若しくは当接する垂下長を有する防鳥ピン６が垂設されていると共に、この防鳥ピン６が、長尺状本体５の長さ方向に小間隔を置いて多数並設状態に垂設されている。
【００２８】
また、この囲い部材Ａは、金属製の前記長尺状本体５と、多数の前記防鳥ピン６を有する合成樹脂製のピン構成部材10とから成り、前記長尺状本体５に設けられている多数のピン通し孔11に、前記ピン構成部材10の多数の前記防鳥ピン６が差込み装着されることで、長尺状本体５に多数の防鳥ピン６が並設状態に垂設されている。尚、ピン構成部材10は、天然樹脂製でも良い。
【００２９】
長尺状本体５は、アルミ製若しくはアルミ合金製であって、図２，図３に示すように、押し出し成形により上下に平坦面を具備する帯板状に成形されている。尚、本実施例では、以下、説明の都合上この長尺状本体５の長さ方向を左右方向と定めて説明する。
【００３０】
また、この長尺状本体５は、上面が、後述する取付部材Ｂの板状基体７の下面に沿設させる沿設板部12として構成されている。
【００３１】
また、この長尺状本体５の前端縁部には、この前端縁部の左右幅いっぱいに（長尺状本体５の全長にわたって）下方へ垂下突出する凸条13が一体成形されて、この前側の凸条13が長尺状本体５の補強作用を発揮するように構成されている。
【００３２】
また、この長尺状本体５の沿設板部12の前側と中ほどに、この長尺状本体５の長さ方向に沿った長さを有する凹条14が間隔を置いて二条形成（成形）され、この前後の凹条14夫々に、小間隔を置いた並設状態で多数の前記ピン通し孔11が貫通形成されている（図３参照）と共に、このピン通し孔11は、前側の凹条14で隣接するピン通し孔11の間に、後側の凹条14のピン通し孔11が位置するように配置されている。
【００３３】
一方、前記ピン構成部材10は、切断工具で切断可能な例えば、ポリエチレン製に構成されていて、例えば、ソーラーパネル２が設置されている折板屋根などでの使用の際には、屋根形状（凹凸形状）に応じて防鳥ピン６を切断することにより全ての防鳥ピン６下端が屋根１上面と近接若しくは当接状態となるように調整可能に構成されている。
【００３４】
更に詳しくは、ピン構成部材10は、前記長尺状本体５と同等の長さを有し前記凹条14に嵌合可能で嵌合時に上面が前記沿設板部12と略面一状態となる形状の帯板材23に、前記ピン通し孔11の隣接間隔に対応する間隔を置いて角柱状の前記防鳥ピン６が多数垂設する形状に一体成形されており、このピン構成部材10を、多数の防鳥ピン６を前記ピン通し孔11に挿通して帯板材23を凹条14に嵌合させることにより、ピン構成部材10が長尺状本体５に取付けられるように構成されている。そして、二体のピン構成部材10を前後の凹条14夫々に取り付けると、前列の隣接する防鳥ピン６間に後列の防鳥ピン６が位置するように配置された囲い部材Ａが形成されるように構成されている。
【００３５】
また、この防鳥ピン６は、長尺状本体５の長さ方向に２５ｍｍ以下（好ましくは２０ｍｍ以下）の間隔を置いて多数並設状態に設けられていると共に、前後の並設間隔も、２５ｍｍ以下（好ましくは２０ｍｍ以下）となるように、ピン構成部材10の形状、並びにピン通し孔11の並設間隔等が設定構成されている。出願人の試作実験によると、防鳥ピン６間の間隔をこのように設定すると、鳥類の侵入を防止できることが確認されている。
【００３６】
本実施例の取付部材Ｂは、ソーラーパネル２の外枠部３の下面に沿設可能な板状基体７の上部に、前記外枠部３に板状基体７を沿設取付け可能なパネル取付部８が設けられていると共に、板状基体７の下部に、前記囲い部材Ａの長尺状本体５を下方から取付可能な囲い取付部９が設けられている。
【００３７】
具体的には、板状基体７は、金属製（例えば、ステンレス製）であって、前記囲い部材Ａの長尺状本体５の長さ方向と直交する前後方向に長さを有する帯板状体に構成されている。
【００３８】
また、この板状基体７の後端部が上方へ側面視で転Ｕ字状に折曲されてソーラーパネル２の外枠部３の下板部22に上下から挟着取付け可能なクリップ部８に形成され、このクリップ部８が前記パネル取付部８として構成されている（図２，図４参照）。
【００３９】
即ち、このクリップ部８をソーラーパネル２外枠部３の下板部22の内側縁より内側に配して板状基体７の上面を下板部22に沿わせた後、取付部材Ｂを外枠部３に対し外側に移動させると、下板部22がその内側縁からクリップ部８内に挿入されて下板部22がクリップ部８に上下から挟持され、これによって取付部材Ｂが外枠部３の下部に沿設状態に取付けられるように構成されている（図５，図６参照）。
【００４０】
また、このクリップ部８は、その折曲先端側が折り返し部に向かって尖鋭状に突出する形状の喰い込み部15を有する形状に形成されていて、このクリップ部８が外枠部３の下板部22からソーラーパネル２内側に抜け外れようとすると、喰い込み部15が外枠部３の下板部22に喰い込み係止して抜け外れ阻止されように構成されている（図４〜図６参照）。
【００４１】
また、この板状基体７の後部寄りに切り出し片が下方へ切り出されていると共に、この切り出し片がＬ字状に折曲されて、このＬ状切り出し片16と板状基体７の下面との間の空間部が、前記囲い部材Ａの長尺状本体５の後端縁部を嵌合する嵌合部25として構成されている一方、板状基体７の前端部が下方へ略直角に垂下折曲されてこの前端垂下板部17が、嵌合部25に後端縁部を嵌合させて前記沿設板部12を板状基体７下面に沿設させた長尺状本体５の前記凸条13の前面を支承する支承板部17として構成されている。
【００４２】
また、更にこの支承板部17の下部を嵌合部25側に向かって突出するようにく字状に折曲形成してこのく字状折曲部18が前記凸条13の下端部に係止する係止凸部18として構成されており、前記囲い部材Ａの下端縁部を前記嵌合部25に嵌合させつつ図５の矢印のように取付部材Ｂに対し囲い部材Ａを押し上げると、前記支承板部17が前方へ撓んで前記凸条13が前記係止凸部18を乗り越えて圧入され、前記沿設板部12が板状基体７の下面に沿設すると共に、係止凸部18が凸条13の下端に配設して取付部材Ｂに対し囲い部材Ａが脱落防止状態で取付けられ、外枠部３の下板部22の下面に囲い部材Ａが近接配設して外枠部３の下方に多数の防鳥ピン６が垂設する状態で囲い部材Ａが間隙部４に配設するように構成されている（図６，図７参照）。
【００４３】
また、Ｌ状切り出し片16の前端部が斜め下方へ折曲形成されて、圧入の際に長尺状本体５の後端縁部を嵌入し易くなるように構成されていると共に、長尺状本体５の前端縁の上部が面取り加工されて、この面取り部が係止凸部18を乗り越えて圧入し易くなるように構成されている（図５参照）。
【００４４】
即ち、本実施例は、前記嵌合部25と、係止凸部18を有する前記支承板部17とで前記圧入部９（囲い取付部９）が構成されている。
【００４５】
また、本実施例では、前記支承板部17にボルト通し孔19が形成され、このボルト通し孔19に対応させて前記凸条13の前面の所定箇所に雌螺子孔20が形成されて、このボルト通し孔19と雌螺子孔20の位置を合わせてボルト通し孔19から取付ボルト21を通して雌螺子孔20に螺着することにより、取付部材Ｂに対して囲い部材Ａを強固な脱落防止状態に取付け固定できるように構成されている（図２，図６，図７参照）。
【００４６】
囲い部材Ａの長さに応じた適当数のこの取付部材Ｂを用いてソーラーパネル２の外枠部３に囲い部材Ａを確固に取付け、屋根１上に複数並設設置されているソーラーパネル２の外周部を囲い部材Ａで囲うと、鳥類の侵入防止効果が得られる。また、多数の防鳥ピン６間は通気性が確保されているので、ソーラーパネル２下の隙間４の風通しは良好で、発電効率の低下を生じにくく、隙間４に塵なども溜まりにくい。
【００４７】
尚、本発明は、本実施例に限られるものではなく、各構成要件の具体的構成は適宜設計し得るものである。
【符号の説明】
【００４８】
１  屋根
２  ソーラーパネル
３  外枠部
４  隙間
５  長尺状本体
６  防鳥ピン
７  板状基体
８  パネル取付部・クリップ部
９  囲い取付部・圧入部
10  ピン構成部材
11  ピン通し孔
Ａ  囲い部材
Ｂ  取付部材
【図１】
2020124162.tif 000003
【図２】
2020124162.tif 000004
【図３】
2020124162.tif 000005
【図４】
2020124162.tif 000006
【図５】
2020124162.tif 000007
【図６】
2020124162.tif 000008
【図７】
2020124162.tif 000009